(57)【要約】壁システムを建設するための型枠であって、第１のプレキャストコンクリート壁パネルおよび第２のプレキャストコンクリート壁パネルであって、第１の壁パネルは、第２の壁パネルと離間関係に位置付けられるように適合される、第１のプレキャストコンクリート壁パネルおよび第２のプレキャストコンクリート壁パネルと、第１および第２の壁パネルの対向して配列される表面によって画定される中空コアであって、コアは、生コンクリートを受容するように適合される、中空コアと、離間関係において、第１の壁パネルを第２の壁パネルと相互接続するための接続配列であって、概して、第１および第２の壁パネルの対向して配列される表面に対して外向き方向に延在する、接続配列とを備える、型枠。
2019526005.tif 000002
【特許請求の範囲】
【請求項１】
壁システムを建設するための型枠であって、前記型枠は、
第１のプレキャストコンクリート壁パネルおよび第２のプレキャストコンクリート壁パネルであって、前記第１の壁パネルは、前記第２の壁パネルと離間関係に位置付けられるように適合される、第１のプレキャストコンクリート壁パネルおよび第２のプレキャストコンクリート壁パネルと、
前記第１および第２の壁パネルの対向して配列される表面によって画定される中空コアであって、前記コアは、生コンクリートを受容するように適合される、中空コアと、
前記離間関係において、前記第１の壁パネルを前記第２の壁パネルと相互接続するための接続配列であって、前記接続配列は、概して、前記第１および第２の壁パネルの対向して配列される表面に対して外向き方向に延在する、接続配列と、
を備える、型枠。
【請求項２】
前記第１および第２のパネルはそれぞれ、溝部によって相互から離間される複数の頂部を備え、使用の間、前記頂部は、前記第１および第２のパネルの対向して配列される表面に沿って位置する、請求項１に記載の型枠。
【請求項３】
使用の間、前記第１のパネルの頂部がそれぞれ、前記第２のパネルの対応する頂部に隣接して位置付けられ、前記接続配列を提供するように、前記第１のパネルの第１の複数の頂部が、前記第２の複数の頂部に対して対向関係に配列される、請求項２に記載の型枠。
【請求項４】
使用の間、前記第１および第２のパネルの個別の頂部の間に位置付けられ保定されるためのスペーサをさらに備える、前記請求項のいずれか１項に記載の型枠。
【請求項５】
前記第１のパネルの溝部と前記第２のパネルの対応する溝部がそれぞれ、中空コア部を画定し、その中に傾注される生コンクリートを受容するように、前記第１のパネルからの第１の複数の溝部が、前記第２のパネルの第２の複数の溝部に対して対向関係に位置付けられる、請求項２から５のいずれか１項に記載の型枠。
【請求項６】
前記パネル毎の側方縁部は、突出部の厚さが、好ましくは、前記頂部のうちの１つ以上のものの高さを下回り、前記第１および第２のパネルの第１の対をそれらの個別の側方縁部に沿って前記第１および第２のパネルの第２の対に相互接続するための１つ以上のジョイナ部材を収容するような輪郭にされた突出部を備える、請求項２から５のいずれか１項に記載の型枠。
【請求項７】
前記第１のパネルの突出部は、前記第２のパネルの対向して配列される突出部から離間され、グラウトまたはコンクリートを受容する空洞を画定する、請求項６に記載の型枠。
【請求項８】
前記ジョイナ部材は、前記頂部の長さに対して横方向に延在する、請求項６または７のいずれか１項に記載の型枠。
【請求項９】
前記パネルの上部と底部との間に位置付けられる複数の離間されるジョイナ部材を備え、前記ジョイナ部材は、略直立方向に延在する１つ以上の補強部材を受容するために整合される１つ以上の個別の受容部をさらに備える、請求項８に記載の型枠。
【請求項１０】
前記ジョイナ部材毎の前記第１の受容部が、前記第１の対のパネルの対向して配列される表面間で補強部材を受容するように整合され、かつ前記ジョイナ部材毎の前記第２の受容部が、前記第２の対のパネルの対向して配列される表面間で補強部材を受容するように整合されるように、各ジョイナ部材が、第１の受容部と、第２の受容部とを備える、請求項９に記載の型枠。
【請求項１１】
前記ジョイナ部材は、前記第１の対のパネルによって形成される第１の構造壁が、前記第２の対のパネルによって形成される第２の構造壁の第２の仮想平面と交差する第１の仮想平面内に存在することを可能にするように構造化される、請求項６から１０のいずれか１項に記載の型枠。
【請求項１２】
前記ジョイナ部材を前記対向して配列される表面のうちの少なくとも１つに係止するための係止部材をさらに備える、請求項６から１１のいずれか１項に記載の型枠。
【請求項１３】
前記第１および第２のパネルの対向して配列される側方縁に沿って位置付けられるための伸長キャップ部材を備え、前記キャップ部材の内壁および前記第１および第２のパネルの突出部は、グラウトまたは生コンクリートを受容するための内部空間を画定する、前記請求項のいずれか１項に記載の型枠。
【請求項１４】
前記キャップ部材は、前記キャップ部材を前記第１および第２のパネルの側方縁に連結させるための連結配列を備える、請求項１３に記載の型枠。
【請求項１５】
前記キャップ部材の内部表面から、前記第１および第２のパネルを伴う前記キャップ部材に相互接続するための前記コア部の中に外向きに延在する、付加的なジョイナ部材をさらに備え、前記付加的なジョイナ部材が、略直立方向に延在する１つ以上の補強部材を受容するための受容部を備える、請求項１３または１４のいずれか１項に記載の型枠。
【請求項１６】
前記型枠は、前記コアを通して延在する１つ以上の付加的な補強部材をさらに備え、前記補強部材は、外向き方向に、好ましくは、前記第１および第２の壁パネルを支持する支持表面に対して垂直方向に延在する、前記請求項のいずれか１項に記載の型枠。
【請求項１７】
前記第１および第２のパネルの使用中の上側部分の上方に位置付けられるためのまぐさ部材をさらに備え、前記まぐさ部材は、前記まぐさ部材を前記型枠のコアに接続するための接続部材をさらに備える、前記請求項のいずれか１項に記載の型枠。
【請求項１８】
前記まぐさ部材の長さに沿って延在する補強バーをさらに備え、使用中の上側部分が、第１の複数の補強バーを含み、使用中の下側部分が、第２の複数の補強バーを含む、請求項１７に記載の型枠。
【請求項１９】
足場を前記プレキャストパネルのうちの少なくとも１つに除去可能に固着させるための足場固着配列をさらに備える、前記請求項のいずれか１項に記載の型枠。
【請求項２０】
建築物内の壁システムのための型枠を建築するためのプレキャストコンクリートパネルであって、前記パネルは、溝部によって相互に離間される複数の頂部を備え、前記パネルのうちの２つが対向して配列され、各パネルの前記頂部に接続構成で位置付けられ得、前記対向して配列されるパネルの溝部分が、その中に生コンクリートを受容するための複数の中空コアを画定する、プレキャストコンクリートパネル。
【請求項２１】
建築物の中に壁を建築する方法であって、前記方法は、
第１のプレキャストコンクリート壁パネルを、第２のプレキャストコンクリート壁パネルから離間関係に位置付けるステップであって、前記第１の壁パネルは、前記第２の壁パネルと離間関係に位置付けられるように適合される、ステップと、
前記第１の壁パネルを前記第２の壁パネルに接続し、前記第１および第２の壁パネルを前記離間関係に維持するステップであって、前記接続配列は、概して、前記第１および第２の壁パネルの対向して配列される表面に対して外向き方向に延在する、ステップと、
生コンクリートを、前記第１および第２の壁パネルの対向して配列される表面によって画定されるコアの中に傾注するステップと
を含む、方法。
【発明の詳細な説明】
【技術分野】
【０００１】
本発明は、建築の分野に関し、より具体的には、プレキャストコンクリート型枠、壁システム、および構造内に壁システムを形成する関連付けられる方法に関する。
【背景技術】
【０００２】
先行技術の方法、装置、または文書へのいかなる言及も、それらが形成されたという証拠または承認を構成するものとして解釈されるべきではなく、または、一般常識の一部を形成するものとして解釈されるべきではない。
【０００３】
コンクリートが傾注され得る壁構造を形成するように相互接続する型枠の使用が、公知である。
【０００４】
伝統的に、コンクリート壁は、二重外皮型枠を使用して鋳造されている。近年では、種々の新たなシステムが、開発され、建設作業の質を向上させている。
【０００５】
例えば、ティルトアップ工法のコンクリートパネルが、広範囲にわたって使用されている。別のタイプのプレキャスト壁パネルは、それぞれ、５０〜７０ｍｍの厚さである、２つの補強コンクリート外皮を備える二重外皮壁の使用を含む。二重外皮はそれぞれ、補強バーの３次元のトラスを介して相互に接続される。外皮間の間隙は、現場でコンクリートで充填され、半モノリシックな構造を成形する。
【０００６】
建設のために要求される全体的な時間を低減させ、かつより高い質の仕上がりを提供する、改良された型枠および壁システムを提供するための必要性が、存在する。多くの可能性として考えられる構成のうちの１つに構成され、種々の寸法の建造物がより容易に建設されることを可能にすることができるモジュール式の型枠を提供する必要性もまた、存在する。
【発明の概要】
【課題を解決するための手段】
【０００７】
ある側面では、本発明は、壁システムを建設するための型枠であって、
第１のプレキャストコンクリート壁パネルおよび第２のプレキャストコンクリート壁パネルであって、第１の壁パネルは、第２の壁パネルと離間関係に位置付けられるように適合される、第１のプレキャストコンクリート壁パネルおよび第２のプレキャストコンクリート壁パネルと、
第１および第２の壁パネルの対向して配列される表面によって画定される中空コアであって、コアは、生コンクリートを受容するように適合される、中空コアと、
離間関係において、第１の壁パネルを第２の壁パネルと相互接続するための接続配列であって、該接続配列は、概して、第１および第２の壁パネルの該対向して配列される表面に対して外向き方向に延在する、接続配列と、
を備える、型枠を提供する。
【０００８】
ある実施形態では、第１および第２のパネルはそれぞれ、溝部によって相互から離間される複数の頂部を有する略規則的または不規則断面（限定ではないが、台形、円形、正方形、長方形、楕円形、またはこれらの組み合わせを含む）を備え、使用の間、頂部は、第１および第２のパネルの対向して配列される表面に沿って位置する。
【０００９】
好ましくは、使用の間、第１のパネルの頂部がそれぞれ、第２のパネルの対応する頂部に隣接して位置付けられ、接続配列を提供するように、第１のパネルの第１の複数の頂部が、第２の複数の頂部に対して対向関係に配列される。
【００１０】
ある実施形態では、型枠は、使用の間、第１および第２のパネルの個別の頂部の間に位置付けられ保定されるためのスペーサをさらに備える。
【００１１】
ある実施形態では、第１のパネルの溝部と第２のパネルの対応する溝部がそれぞれ、中空コア部を画定し、その中に傾注される生コンクリートを受容するように、第１のパネルからの第１の複数の溝部が、第２のパネルの第２の複数の溝部に対して対向関係に位置付けられる。
【００１２】
ある実施形態では、パネル毎の側方縁部は、突出部の厚さが、好ましくは、該頂部のうちの１つ以上のものの高さを下回り、該第１および第２のパネルの第１の対をそれらの個別の側方縁部に沿って該第１および第２のパネルの第２の対に相互接続するための１つ以上のジョイナ部材を収容するような輪郭にされた突出部を備える。
【００１３】
ある実施形態では、第１のパネルの突出部は、第２のパネルの対向して配列される突出部から離間され、グラウトを受容する空洞を画定する。
【００１４】
ある実施形態では、ジョイナ部材は、頂部の長さに対して横方向に延在する。
【００１５】
ある実施形態では、型枠は、パネルの上部と底部との間に位置付けられる複数の離間されるジョイナ部材を備え、該ジョイナ部材は、略直立方向に延在する１つ以上の補強部材を受容するために整合される、１つ以上の個別の受容部をさらに備える。
【００１６】
ある実施形態では、継合部材毎の第１の受容部が、第１の対のパネルの対向して配列される表面間で補強部材を受容するように整合され、かつ継合部材毎の第２の受容部が、第２の対のパネルの対向して配列される表面間で補強部材を受容するように整合されるように、各ジョイナ部材が、第１の受容部と、第２の受容部とを備える。
【００１７】
ある実施形態では、ジョイナ部材は、第１の対のパネルによって形成される第１の構造壁が、第２の対のパネルによって形成される第２の構造壁の第２の仮想平面と交差する、第１の仮想平面内に存在することを可能にするように構造化される。
【００１８】
ある実施形態では、型枠は、ジョイナ部材を該対向して配列される表面のうちの少なくとも１つに係止するための係止部材をさらに備える。
【００１９】
ある実施形態では、型枠は、第１および第２のパネルの対向して配列される側方縁に沿って位置付けられるための伸長キャップ部材をさらに備え、キャップ部材の内壁および第１および第２のパネルの突出部は、グラウトまたは生コンクリートを受容するための内部空間を画定する。
【００２０】
好ましくは、キャップ部材は、キャップ部材を第１および第２のパネルの側方縁に連結させるための連結配列を備える。
【００２１】
ある実施形態では、型枠は、キャップ部材の内部表面から、第１および第２のパネルを伴うキャップ部材に相互接続するためのコア部の中に外向きに延在する、付加的なジョイナ部材をさらに備え、付加的なジョイナ部材が、略直立方向に延在する１つ以上の補強部材を受容するための受容部を備える。
【００２２】
ある実施形態では、型枠は、コアを通して延在する１つ以上の付加的な補強部材をさらに備え、補強部材は、外向き方向に、好ましくは、第１および第２の壁パネルを支持する支持表面に対して垂直方向に延在する。
【００２３】
ある実施形態では、型枠は、第１および第２のパネルの使用中の上側部分の上方に位置付けられるためのまぐさ部材をさらに備え、まぐさ部材は、まぐさ部材を型枠のコアに接続するための接続部材をさらに備える。まぐさ部材の重量を最小限にするために、内部空洞が、提供されてもよい。
【００２４】
ある実施形態では、型枠は、まぐさ部材の長さに沿って延在する補強バーをさらに備え、使用中の上側部分が、第１の複数の補強バーを含み、使用中の下側部分が、第２の複数の補強バーを含む。
【００２５】
別の側面では、本発明は、建築物内の壁システムのための型枠を建築するためのプレキャストコンクリートパネルであって、パネルは、溝部によって相互に離間される複数の頂部を有する略規則的または不規則断面（限定ではないが、台形、円形、正方形、長方形、楕円形、またはこれらの組み合わせを含む）を備え、該パネルのうちの２つが、対向して配列され、各パネルの頂部に接続構成で位置付けられ得、かつ対向して配列されるパネルの溝部分が、その中に生コンクリートを受容するための複数の中空コアを画定する、プレキャストコンクリートパネルを提供する。
【００２６】
別の側面では、本発明は、構造の中に壁を建築する方法であって、
第１のプレキャストコンクリート壁パネルを、第２のプレキャストコンクリート壁パネルから離間関係に位置付けるステップであって、第１の壁パネルは、第２の壁パネルと離間関係に位置付けられるように適合される、ステップと、
第１の壁パネルを第２の壁パネルに接続し、第１および第２の壁パネルを離間関係に維持するステップであって、接続配列は、概して、第１および第２の壁パネルの該対向して配列される表面に対して外向き方向に延在する、ステップと、
生コンクリートを、第１および第２の壁パネルの対向して配列される表面によって画定されるコアの中に傾注するステップと、
を含む、方法を提供する。
【００２７】
ある実施形態では、壁パネルのうちの少なくとも１つは、使用の間に、１つ以上の供給ラインを収容するための、該パネルに沿って略直立方向に延在する、空洞またはチャネルを備える。
【００２８】
別の側面では、本発明は、第１の側面による型枠と、コアの中に傾注され、それによって、壁システムを形成する生コンクリートとを含む、壁システムを提供する。
【００２９】
ある実施形態では、壁パネルは、ファサードパネルおよび／または内壁パネルを受容するように適合される。
【００３０】
ある実施形態では、型枠は、第１の壁パネルのうちの１つ以上のものを備える第１の複数の壁パネルと、第２の壁パネルのうちの１つ以上のものを備える第２の複数の壁パネルとを備え、第１の複数の壁パネルは、第２の複数の壁パネルから離間関係にある。
【００３１】
ある実施形態では、型枠は、第１および／または第２の複数の壁パネルを支持表面に係留するための係留部材をさらに備える。
【図面の簡単な説明】
【００３２】
本発明の好ましい特徴、実施形態、および変形例が、当業者が本発明を実施するために十分な情報を提供する、以下の詳細な説明から判別され得る。詳細な説明は、直前の発明の概要の範囲をいかようにも限定しないと見なされる。詳細な説明は、以下のようにいくつかの図面を参照するであろう。
【００３３】
【図１Ａ】図１Ａは、本発明の実施形態による、建築物の中に壁システムを建設するための型枠内で使用される、プレキャストコンクリートパネル１８０を図示する。
【図１Ｂ】図１Ｂは、プレキャストコンクリートパネル１８０の断面図である。
【図２Ａ】図２Ａは、本発明の第１の型枠実施形態による、本発明の実施形態に従って建築物の中に壁を建設するための型枠システム１９０を図示する。
【図２Ｂ】図２Ｂは、本発明の第２の型枠実施形態による、本発明の実施形態に従って建築物の中に壁を建設するための型枠システム１９０’を図示する。
【図２Ｃ】図２Ｃは、型枠システム１９０の断面側面図を図示する。
【図２Ｄ】図２Ｄは、型枠システム１９０の断面上面図を図示する。
【図２Ｅ】図２Ｅは、型枠システム１９０’の断面上面図を図示する。
【図２Ｆ】図２Ｆから２Ｈは、新たな懸吊足場システムが取り付けられる、型枠１９０または１９０’の外面の斜視図を図示する。
【図２Ｇ】図２Ｆから２Ｈは、新たな懸吊足場システムが取り付けられる、型枠１９０または１９０’の外面の斜視図を図示する。
【図２Ｈ】図２Ｆから２Ｈは、新たな懸吊足場システムが取り付けられる、型枠１９０または１９０’の外面の斜視図を図示する。
【図３Ａ】図３Ａは、複数の型枠システム１９０を使用して建設される、連続的な壁５００を図示する。
【図３Ｂ】図３Ｂは、複数の型枠システム１９０’を使用して建設される、連続的な壁５００’を図示する。
【図４Ａ】図４Ａは、型枠システム１９０および１９０’を備える、Ｔ形状の壁構造２８０の断面図である。
【図４Ｂ】図４Ｂは、型枠システム１９０を備える、別のＴ形状の壁構造２８０’の断面図である。
【図４Ｃ】図４Ｃは、型枠システム１９０および１９０’を備える、別のＴ形状の壁構造２８０’’の断面図である。
【図４Ｄ】図４Ｄは、型枠システム１９０を備える、別のＴ形状の壁構造２８０’’’の断面図である。
【図５Ａ】図５Ａは、型枠システム１９０を備える、Ｌ形状の壁構造２９０の断面図である。
【図５Ｂ】図５Ｂは、型枠システム１９０および１９０’を備える、別のＬ形状の壁構造２９０の断面図である。
【図５Ｃ】図５Ｃは、型枠システム１９０’を備える、Ｌ形状の壁構造２９０’’の断面図である。
【図６Ａ】図６Ａは、ある実施形態による、まぐさ部材２００の斜視図である。
【図６Ｂ】図６Ｂは、まぐさ部材２００の断面図である。
【図７Ａ】図７Ａは、ある実施形態による、まぐさ部材２００’の斜視図である。
【図７Ｂ】図７Ｂは、まぐさ部材２００’の断面図である。
【図８Ａ】図８Ａは、ある実施形態による、キャップ部材２１０の斜視図である。
【図８Ｂ】図８Ｂは、キャップ部材２１０の断面図である。
【図８Ｃ】図８Ｃは、キャップ部材２１０の使用中の断面図である。
【図９Ａ】図９Ａは、ある実施形態による、キャップ部材２１０’の斜視図である。
【図９Ｂ】図９Ｂは、キャップ部材２１０’の断面図である。
【図９Ｃ】図９Ｃは、キャップ部材２１０’の使用中の断面図である。
【図１０Ａ】図１０Ａは、別の実施形態による、窓台ユニット２２０の斜視図である。
【図１０Ｂ】図１０Ｂは、窓台ユニット２２０の断面図である。
【発明を実施するための形態】
【００３４】
図１を参照すると、本発明の第１の実施形態は、波形または台形の断面を有する単一外皮プレキャストコンクリートパネル１８０を提供する。プレキャストパネル１８０は、内面においてパネル１８０の略垂直の方向に沿って延在する空洞または溝１８２によって分離または離間される、複数の頂部１８１を備える。パネル１８０の外面もまた、不連続的なファーリングチャネル（ｆｕｒｒｉｎｇ  ｃｈａｎｎｅｌ）１８７を備え、水平方向に空所１８６を成形する。空洞ファーリングチャネル１８７および空所１８６は、電気導管１８３等のサービスラインおよび熱水パイプ１８４および冷水パイプ１８５等の配管供給ラインを格納するために提供されている。水平な空所１８６はまた、導管およびパイプが、要求されるとき、水平方向に位置付けられることを可能にする。
【００３５】
プレキャスト壁パネル１８０はまた、プレキャストパネル１８０の外向きに対向する表面上で外部石膏板パネル１８９を受容するように適合される。ファーリングチャネル１８７によって形成される空洞は、各パネル１８０をより軽くしながらパイプおよび電気導管の取付を補助する。単一外皮プレキャストコンクリートパネル１８０は、５０ｍｍ間隔で２００ｍｍ〜２，６００ｍｍの間で変動する幅を有し得る。高さに関連して、パネルは、１，１００ｍｍ（窓の下で使用されるため）、２，４００ｍｍ、２，７００ｍｍ、３，０００ｍｍ、３，２００ｍｍ、３，６００ｍｍ、および４，０００ｍｍ等の高さの範囲内で提供され得る。いくつかの実施形態における単一外皮プレキャストコンクリートパネル１８０の厚さは、７５ｍｍに限定され得、パネル本体は、（図１Ｂに示されるように）パネル１８０のコンクリート本体内に補強メッシュ１８８を含有してもよい。
【００３６】
図２Ａおよび２Ｂは、前述の段落の中で説明されるようなパネル１８０の少なくとも２つを使用することによって組み立てられ得る、型枠システム１９０および１９０’を図示する。型枠システム１９０および１９０’はそれぞれ、２つの離間されるプレキャストコンクリートパネル１８０Ａおよび１８０Ｂを備える。中空コアは、第１および第２の壁パネル１８０Ａおよび１８０Ｂの対向して配列される表面によって画定され、コアは、生コンクリートを受容するように適合される。前述の節において説明されるように、パネル１８０Ａおよび１８０Ｂの対向して配列される表面はそれぞれ、使用の間にパネル１８０Ａおよび１８０Ｂを相互接続するための接続配列を提供する、頂部１８１を備える。第１のパネル１８０Ａの頂部１８１Ａがそれぞれ、第２のパネルの対応する頂部１８１Ｂに隣接して位置付けられ、かつ接続配列を提供するように、第１のパネルの第１の複数の頂部１８１Ａは、第２の複数の頂部１８１Ｂに対して対向関係に配列される。同様に、第１のパネル１８０Ａの溝部および第２のパネル１８０Ａの対応する溝部がそれぞれ、中空コア部を画定し、かつ中空コアの中に傾注される生コンクリートを受容するように、第１のパネル１８０Ａの第１の複数の溝部１８２Ａは、第２のパネル１８０Ｂの第２の複数の溝部１８２Ｂに対して対向関係に位置付けられる。
【００３７】
（図２Ａに示される）型枠システム１９０は、対向して配列されるパネル１８０Ａおよび１８０Ｂからの頂部１８１Ａおよび１８１Ａを離間構成に位置付けるために、スペーサ部材１９５を使用する。スペーサ部材１９５は、概して、第１および第２のプレキャストパネル１８０Ａおよび１８０Ｂの内部表面に対して垂直方向に沿って延在する。
【００３８】
（図２Ｂに示される）型枠システム１９０’は、いかなるスペーサ部材をも使用しない。その結果、対向して配列される頂部１８１Ａおよび１８１Ｂは、直接的に相互に締結されてもよい。型枠１９０’では、頂部１８１Ａおよび１８１Ｂは、構造用接着剤を使用する表面接続１９８を介して直接的に相互に接続される。壁ユニット１９０はまた、鋼板、ＰＶＣ板、またはセメント板を使用して垂直の空洞コアの分離を可能にする各溝部１８２の側壁に沿って配列される、６ｍｍの厚さのスロット１９７を含有する。
【００３９】
図２Ｄおよび２Ｅを参照すると、パネル１８０Ａおよび１８０Ｂ毎の側方縁部は、突出部１９１の厚さが該頂部１８１のうちの１つ以上のものの高さを下回り、該第１および第２のパネル１８０Ａおよび１８０Ｂの第１の対をそれらの個別の側方縁部に沿って該第１および第２のパネル１８０の第２の対に相互接続するための１つ以上のジョイナ部材１９６を収容するような輪郭にされた突出部１９１を備える。
【００４０】
図３Ａおよび３Ｂに示されるように、典型的な取付の間、複数の型枠システム１９０または１９０’は、相互に相互接続または継合し、建築物の中に連続的な壁を形成し得る。図３Ａおよび３Ｂを参照すると、複数のジョイナ部材１９６は、対向して配列されるプレキャストパネルの対の上部と底部との間に位置付けられる。図３Ａを参照すると、例えば、３つの対のプレキャストパネルが、構造内に壁区分を形成するために横並様式で配列される。対向して配列されるプレキャストパネル１８０Ａおよび１８０Ｂの第１の対は、複数の継合部材１９６を利用することによって対向して配列されるプレキャストパネル１８０Ｐおよび１８０Ｑの第２の対に相互接続される。ジョイナ部材１９６はそれぞれ、１つ以上の受容開口１９６Ａをさらに備える。２つの隣接して位置する対のプレキャストパネル１８０Ａおよび１８０Ｂに相互接続するジョイナ部材毎の開口１９６Ａは、略直立方向に延在する補強部材１９３を受容するために整合される。加えて、コア１９２を通して延在する垂直に配向される補強バー１９３もまた、提供される。同様に、係止梯子形状補強バー１９３および１９６’が、隣接する壁ユニット１９０’を接続するために使用される。付加的な補強バー１９３もまた、対向して配列されるパネル１８０Ａおよび１８０Ｂのコア内に位置付けられてもよい。
【００４１】
図２Ｆおよび２Ｈは、新たな足場システム１９８が取り付けられることができる型枠１９０および１９０’の外面の斜視図を図示する。壁ユニットの外面への安全なアクセスを容易にするために、壁ユニットは、鋳込式フェルール１９７を装備する。端部接続プレート１００１を伴うＴ形片持ち鋼梁１０００は、ボルト接続１００２を介して壁に接続される。Ｔ形片持ち梁の他の側面は、手すりとして作用する上向きに円形、正方形、または長方形の中空区分１００３を含有する。伝統的なアルミニウム、鋼、または木材の厚板ユニット１００４は、次いで、Ｔ形片持ち梁にわたって設置され、建設作業者のための安全な経路を成形する。これらは、ねじ、ボルト、またはピンによってＴ形鋼梁の支持部に接続されることができる。
【００４２】
図３Ａおよび３Ｂは、内部間隙を伴う離間される対のプレキャスト壁パネル１８０（図３Ａ）および内部間隙のない離間される対のプレキャスト壁パネル１８０（図３Ｂ）を使用する、外部耐力壁内の型枠システム１９０および１９０’の断面図を図示する。種々の対の壁パネル１８０を相互接続するための継合部材１９６のサイズおよび数は、外部耐力壁の構造的完全性に依存する。壁１９０および１９０’の両方において、縁空洞コア（横並配列に相互接続される各パネル１８０の側方縁部に沿って位置する突出部１９１によって画定されるコア）は、現場でグラウト充填され得る。垂直の補強バー１９４の数、サイズ、および配列は、印加される負荷に耐えるための壁の構造的妥当性に依存する。故に、内部の空洞コア１９２は、耐荷重要件に応じてグラウト充填されるまたは空に保たれ得る。
【００４３】
図４Ａから４Ｄおよび図５Ａから５Ｃを参照すると、典型的なＴ形状およびＬ形状の壁形成が、型枠システム１９０および１９０’を使用して構築されることができる。ジョイナユニット２８０、２８０’、２８０’’、２８０’’’、２９０、２９０’、および２９０’等の種々の構成のジョイナ部材は、２つ、３つ、または４つの隣接して位置する壁ユニットが、限定ではないが、９０度を含む種々の角度に位置付けられることを可能にし得る。そのようなジョイナユニットは全て、ウェット接続（現場打コンクリート／グラウト）と、コネクタの中心に位置する垂直バー（２８３）の周囲に位置し得るＴ形状補強コネクタ（２８１）またはＬ形状補強コネクタ（２９１）のいずれか一方とを備えてもよい。Ｌ形状およびＴ形状コネクタ（２８１または２９１）の数およびサイズおよび（２８３等の）補強バーの数は、壁形成上に印加される負荷の大きさに依存する。型枠システム１９０が利用されるとき、プレキャストコンクリートパネル間の内部間隙の存在下では、小から中のサイズの補強ケージ２８２または２９２が、使用されてもよい。補強コネクタ２８１または２９１を正しい水平な整合状態に保つために、金属またはＰＶＣの係止部２８４の形態の係止配列が、型枠システム１９０または１９０’内で使用されるプレキャストパネルの縁空所の内面において使用されてもよい。
【００４４】
図６Ａ、６Ｂ、７Ａ、および７Ｂは、型枠システム１９０および１９０’を使用して建築される壁内の開口部面積（扉および窓）にわたって位置付けられるように構成される、まぐさ２００および２００’の断面図および斜視図を図示する。まぐさ２００および２００’は、型枠システム１９０または１９０’の上部の上方の（図８および９に示される）終端ユニット２１０および２１０’の形態のキャップ部材の間にスパンしてもよい。まぐさ２００および２００’は、まぐさの下部内の正の補強バー２０１およびまぐさ２００および２００’の上部に沿って位置する負の補強バー２０２を具備する。剪断リガチャ２０３もまた、まぐさ２００および２００’の長さに沿って提供され、上部補強バー２０２を底部補強バー２０１に接続する。まぐさ２００および２００’の重量を最小限にするために、内部空洞が、提供されてもよい。いかなる平面外への移動をも防止するために、シアコネクタ２０５もまた、まぐさ２００および２００’の両端部に提供されてもよい。シアコネクタ２０５は、壁ユニット１９０および１９０’の空洞内に位置し得、グラウトまたはコンクリートを使用してその位置に固着されることができる。まぐさユニット２００’はまた、補強メッシュ２０４を含有する、６０ｍｍを下回る厚さを有する上向き延在部２０６を含有する。上向き延在部２０６は、縁型枠として機能し、生コンクリートがスラブから逃散することを防止し得る。
【００４５】
図８Ａから８Ｃおよび図９Ａから９Ｃを参照すると、伸長キャップ部材２１０および２１０’の実施形態が、図示される。伸長キャップ部材２１０および２１０’は、第１および第２のパネル１８０Ａおよび１８０Ｂの対向して配列される側方縁に沿って位置付けられるように適合され、キャップ部材の内壁およびパネル１８０Ａおよび１８０Ｂの側方縁部は、グラウトまたは生コンクリートを受容するための内部空間を画定する。キャップ部材２１０および２１０’は、打込型枠として機能し、プレキャストコンクリートパネル１８０Ａおよび１８０Ｂとの形成接続を用いて定位置に位置付けられ得る。これらの接続は、シアコネクタ２１１を拘束するシアコネクタ２１１および垂直補強バー２１２を介して、壁の垂直空洞において、ドライシアコネクタ２１３および２１４およびウェット接続を使用して形成される。これらのコネクタは、型枠システム１９０および１９０’内で使用されるプレキャストパネルの接続縁を係合させるために提供される。コネクタ２１３および２１４は、壁ユニット１９０および１９０’の縁に沿って提供される対応する凸縁（または溝）部を受容するための接続溝（または凸縁）を形成する。
【００４６】
図１０Ａおよび１０Ｂは、窓台プレート２２０の形態のキャップ部材の別の実施形態を図示する。窓台プレート部材２２０が、窓開口部の底部に沿って提供される。窓台プレート２２０はまた、打込型枠として機能し、型枠システム１９０および１９０’を使用して建設される壁のコア／空洞内へのウェットシア接続の形成を用いて定位置に位置付けられる。これらの接続は、シアコネクタ２２２を用いて形成され得る。窓台プレート部材２２０はまた、その外縁に沿った下端においてスロット２２３を含有し、窓台ユニットおよび壁ユニットの界面への水の侵入を排除する。
【００４７】
本出願人は、型枠の部分が全て工場において現場外で事前加工される工場ベースシステムの採用が、工場作業者が非常に熟練しかつより良好に訓練されていると理解されるので、建設作業者の潜在的なリスクを低減させると考える。結果として、本出願人は、本書に説明されるような型枠の採用が、現場建設と関連付けられるリスクの大部分を最小限化／排除することができると考える。
【００４８】
少なくともいくつかの実施形態では、本書に提供される壁システムの採用が、以下の利点を提供する可能性が高いと予期される。
・建設の速度を増加させる。
・高品質な仕上がりを達成する。
・建築物上で作業する労働者の安全性を向上させる。
・建設コストを減少させる。
・現場でのコンクリート工事の体積を減少させる。
・現場で設置され配列される必要のある補強バーの量を減少させる。
・コンクリート構造の質を向上させる。
・建築物が、（現在の建設時間と比較して）短時間周期内で建設されるであろうため、建設活動に起因する第三者にかかるリスクを低減させる。
・懸吊足場プラットフォームが、直接的に壁システム内で利用され得るため、完全な足場システムの使用を排除する。
・良質の防音を達成する。
・他の絶縁と組み合わせられ、高いレベルのエネルギー評価を達成することができる。
【００４９】
本書に説明されるような型枠の使用は、以下の非限定的な利点を提供し得る。
・型枠の本システムとの併用が、低減され、おそらくは排除される可能性が高いため、可能性として、コンクリート建築物の最終コストを低減させる。
・長スパンにわたって最小支柱が、要求されるが、短から中スパンにわたって支柱が要求されない。結果として、作業者は、障害物（支柱）のない床で容易かつ安全に作業することができる。
・一時的な足場プラットフォームが、直接的に本発明において利用され得るため、完全な足場システムの使用を排除する。
・本書に説明されるような型枠の組立が、比較的に容易であり、現場作業者からより少ない努力を要求する。
・システムは、モジュール式であり、異なる形状を伴う構造を建設するために使用されることができる。
【００５０】
プレキャストパネルの任意のものが、補強コンクリート、またはプレストレストコンクリート、または、材料の強度が装填シナリオ（いかなる補強バーの有無にもかかわらず）を満足し得る任意の他の好適な材料を使用して建設されてもよいことが理解されるであろう。
【００５１】
法令に準拠して、本発明は、多かれ少なかれ構造的または方法論的な特徴に特有の言い回しで説明されている。用語「ｃｏｍｐｒｉｓｅｓ」、および「ｃｏｍｒｉｓｉｎｇ」および「ｃｏｍｐｒｉｓｅｄ  ｏｆ」等のその変形例は、包括的な意味で、いかなる付加的な特徴をも排除せず全体を通して使用される。本明細書に説明される手段は、本発明を具現化する好ましい形態を備えるため、本発明が、示されるまたは説明される具体的な特徴に限定されないことを理解されたい。したがって、本発明は、当業者によって適切に解釈される添付の請求項の適切な範囲内の形態または修正の任意のものにおいて請求される。
【００５２】
本明細書および請求項の全体を通して（存在する場合）、文脈が別様に要求しない限り、用語「ｓｕｂｓｔａｎｔｉａｌｌｙ」または「ａｂｏｕｔ」は、本用語によって修飾される範囲の価値に限定されないものと理解されるであろう。
【００５３】
本発明のいかなる実施形態も、例証にすぎないように意図されており、本発明に限定する意図はない。したがって、種々の他の変更および修正が、本発明の精神および範囲から逸脱することなく、説明される任意の実施形態に成され得ることを理解されたい。
【図１Ａ】
2019526005.tif 000003
【図１Ｂ】
2019526005.tif 000004
【図２Ａ】
2019526005.tif 000005
【図２Ｂ】
2019526005.tif 000006
【図２Ｃ】
2019526005.tif 000007
【図２Ｄ】
2019526005.tif 000008
【図２Ｅ】
2019526005.tif 000009
【図２Ｆ】
2019526005.tif 000010
【図２Ｇ】
2019526005.tif 000011
【図２Ｈ】
2019526005.tif 000012
【図３Ａ】
2019526005.tif 000013
【図３Ｂ】
2019526005.tif 000014
【図４Ａ】
2019526005.tif 000015
【図４Ｂ】
2019526005.tif 000016
【図４Ｃ】
2019526005.tif 000017
【図４Ｄ】
2019526005.tif 000018
【図５Ａ】
2019526005.tif 000019
【図５Ｂ】
2019526005.tif 000020
【図５Ｃ】
2019526005.tif 000021
【図６Ａ】
2019526005.tif 000022
【図６Ｂ】
2019526005.tif 000023
【図７Ａ】
2019526005.tif 000024
【図７Ｂ】
2019526005.tif 000025
【図８Ａ】
2019526005.tif 000026
【図８Ｂ】
2019526005.tif 000027
【図８Ｃ】
2019526005.tif 000028
【図９Ａ】
2019526005.tif 000029
【図９Ｂ】
2019526005.tif 000030
【図９Ｃ】
2019526005.tif 000031
【図１０Ａ】
2019526005.tif 000032
【図１０Ｂ】
2019526005.tif 000033
【国際調査報告】
2019526005.tif 000034
2019526005.tif 000035
2019526005.tif 000036